(57)【要約】　　　（修正有）【課題】シャーボルトが破断しても、破断により切り離された部分が下方へ落下しないようにする重量物の下降ロック装置を提供する。。【解決手段】回転や昇降させられるスクリューロッド１の下端面に、シャーボルト６によりハンマーヘッド５を取り付ける。シャーボルト６の軸心部に、先端部側にねじ部１０ａを有する貫通孔１０を設ける。貫通孔１０に下方から落下防止用ボルト１１を挿入してねじ部１０ａに螺合させる。落下防止用ボルト１１の頭部１１ａとシャーボルト６の頭部との間に弾性体１２を取り付ける。シャーボルト６が破断したとき、破断によりスクリューロッド１から切り離された部分を、弾性体１２を介し落下防止用ボルト１１の頭部１１ａで受け止める。【選択図】　　　　図１
2004050264.tif 000002
【特許請求の範囲】
【請求項１】
回転や昇降させられるスクリューロッドの下端に、シャーボルトにより係止ブロックを取り付け、該係止ブロックで重量物を受けて重量物の下降をロックするようにしてある重量物の下降ロック装置において、上記シャーボルトの軸心部に貫通孔を設けて、該貫通孔の先端部側にねじ部を設け、且つ落下防止用ボルトを上記貫通孔に挿入して先端部を上記ねじ部に螺合させて支持させてなる構成を有することを特徴とする重量物の下降ロック装置。
【請求項２】
落下防止用ボルトをシャーボルトの貫通孔のねじ部に螺合させて支持させることに代えて、シャーボルトの貫通孔に連通する穴をスクリューロッドの軸心部に設けてねじ部を形成し、落下防止用ボルトをシャーボルトの貫通孔からスクリューロッドの穴に挿通して先端部側をスクリューロッドのねじ部に螺合させて支持させるようにした請求項１記載の重量物の下降ロック装置。
【請求項３】
落下防止用ボルトの頭部とシャーボルトの頭部との間にシャーボルトの破断伸び以上の伸縮量を有する弾性体を取り付けた請求項１又は２記載の重量物の下降ロック装置。
【発明の詳細な説明】
【０００１】
【発明の属する技術分野】
本発明はプレス機械のスライドの如き重量物を受けて重量物の下降をロックするための重量物の下降ロック装置に関するものである。
【０００２】
【従来の技術】
プレス機械の場合は、スライド駆動機構によりスライドを上下動させることにより、スライドの下面に取り付けた上金型を上下動させて、該上金型に対応させてボルスタ上にセットされた下金型との間でワークをプレス成形できるようにしてある。
【０００３】
上記プレス機械で用いられているスライドは、重量物であるため、金型の交換時やプレス機械のメンテナンス時等には、落下しないようにその位置をロックさせる必要がある。
【０００４】
上記プレス機械のスライドロック装置としては、図３にジャッキ式の一例の概略を示す如く、上下方向に配したスクリューロッド１を、ケーシング２内に組み込まれている回転及び昇降駆動機構３に係合させて支持させ、モータ４の駆動で回転及び昇降駆動機構３を作動させることにより上記スクリューロッド１を回転させたり昇降させることができるようにしてあると共に、モータ４の駆動を停止することによりブレーキが掛けられて昇降位置を保持できるようにしてあり、且つ上記スクリューロッド１の下端面に、係止ブロックとしてのハンマーヘッド５を前後又は左右方向に張り出すように配置して、該ハンマーヘッド５を、スクリューロッド１の下端部軸心位置に設けたボルト穴９に下方からシャーボルト６を螺合させることにより取り付けた構成とし、たとえば、スライド７の４隅に対応させた位置において、上記ケーシング２を図示しないプレスハウジングに固定した状態として、スライド７から張り出させたＵ字状の切欠部８ａを有するブラケット８の下面に上記ハンマーヘッド５の上面を係止させることにより、スライド７の下降位置をロックできるようにしてある。
【０００５】
上記スライドロック装置でスライド７をロックする際のスライド７の高さ位置は一定位置ではないので、スクリューロッド１の停止高さ位置を一律に設定することはできず、したがって、ハンマーヘッド５でスライド７をロックした状態からスクリューロッド１の停止位置を判別し、モータ４を停止させるようにしてある。そのため、通常の使用状態では、二点鎖線で示す如く、ハンマーヘッド５がＵ字状の切欠部８ａを通過可能な方向にスクリューロッド１が向けられ、スライド７をロックするためにスクリューロッド１を上昇させる上昇初期にスクリューロッド１が９０度回転駆動されてハンマーヘッド５がＵ字状の切欠部８ａを通過不能な方向に向けられ、その後上昇したハンマーヘッド５でブラケット８の下面を係止させるようにしてある。
【０００６】
又、スライド７をロックするとき、モータ４の停止時期が遅れてスクリューロッド１に過大な荷重が作用した場合に、回転及び昇降駆動機構３が破損するのを防止できるようにするために、スクリューロッド１に所定荷重以上の荷重が作用すると、シャーボルト６の途中に形成された小径部６ａが破断するように設計されている。
【０００７】
【発明が解決しようとする課題】
ところが、上記スライドロック装置の場合、スライド７の上下方向のストロークに合わせた長さの長いスクリューロッド１が必要となることから、スライド７の上昇位置に合わせてスクリューロッド１を上昇位置させた状態では、スクリューロッド１の下端部と受皿との間が大きく離れるため、シャーボルト６が破断した際には、シャーボルト６やハンマーヘッド５が周辺に飛散して他の装置類に損傷を与えるようなことがあった。
【０００８】
そこで、本発明は、プレス機械のスライドロック装置の如き重量物の下降をロックする装置において、シャーボルトが万一破断するような事態が発生したとしても、破断により切り離された部分が落下しないようにして、落下に伴う他の装置への損傷発生を未然に防ぐことができるようにしようとするものである。
【０００９】
【課題を解決するための手段】
本発明は、上記課題を解決するために、回転や昇降させられるスクリューロッドの下端に、シャーボルトにより係止ブロックを取り付け、該係止ブロックで重量物を受けて重量物の下降をロックするようにしてある重量物の下降ロック装置において、上記シャーボルトの軸心部に貫通孔を設けて、該貫通孔の先端部側にねじ部を設け、且つ落下防止用ボルトを上記貫通孔に挿入して先端部を上記ねじ部に螺合させて支持させてなる構成としたり、あるいは、落下防止用ボルトをシャーボルトの貫通孔のねじ部に螺合させて支持させることに代えて、シャーボルトの貫通孔に連通する穴をスクリューロッドの軸心部に設けてねじ部を形成し、落下防止用ボルトをシャーボルトの貫通孔からスクリューロッドの穴に挿通して先端部側をスクリューロッドのねじ部に螺合させて支持させるようにした構成とする。
【００１０】
係止ブロック及びシャーボルトを介してスクリューロッドに過負荷が掛かることによりシャーボルトが破断すると、破断してスクリューロッドから切り離された部分を落下防止用ボルトの頭部で受け止めることができ、下方への落下を未然に防ぐことができる。
【００１１】
又、落下防止用ボルトの頭部とシャーボルトの頭部との間に弾性体を取り付けた構成とすることにより、シャーボルトの軸心部には単に貫通孔を加工するだけで済ますことができる。
【００１２】
【発明の実施の形態】
以下、本発明の実施の形態を図面を参照して説明する。
【００１３】
図１は本発明の実施の一形態を示すもので、図３に示したものと同様に、回転及び昇降駆動機構に支持されるスクリューロッド１の下端面に、該スクリューロッド１の下端部軸心位置のボルト穴９に下方から螺合させたシャーボルト６により、係止ブロックとしてのハンマーヘッド５を取り付けて、該ハンマーヘッド５の上面を、重量物であるプレス用スライドから張り出させたブラケットの下面に係止させることにより該スライドの位置をロックするようにしてある構成において、上記シャーボルト６の軸心部に、所要の内径とした貫通孔１０を設けると共に、シャーボルト６の先端部側となる貫通孔１０の上部側に、貫通孔１０の内径よりも小径のねじ部１０ａを設け、且つ該ねじ部１０ａに螺合できるような直径を有する所要の長さの落下防止用ボルト１１を、上記貫通孔１０に下方から挿入してねじ部１０ａに螺合させて支持させるようにする。又、上記落下防止用ボルト１１の頭部１１ａ側の端部に、シャーボルト６の破断伸び以上の伸縮量を有するゴムやウレタンの如き弾性体１２を補助リングプレート１３を介して取り付け、シャーボルト６の小径部６ａが破断したときに、破断によりスクリューロッド１から切り離された部分の落下を落下防止用ボルト１１の頭部１１ａで受け止められるようにすると共に、受け止め時の衝撃を弾性体１２で緩衝させられるようにする。１４はシャーボルト６の抜け止めプレート、１５は落下防止用ボルト１１の抜け止めキャップ、１６はこれら抜け止めプレート１４や抜け止めキャップ１５の取付ボルトを示す。
【００１４】
なお、図１においては、シャーボルト６の頭部に弾性体１２が接している状態を示しているが、シャーボルト６の頭部と弾性体１２との間に間隔をあけてもよい。
【００１５】
上記構成としてあるため、ハンマーヘッド５及びシャーボルト６を介してスクリューロッド１に過負荷が作用することによりシャーボルト６が小径部６ａの位置で破断するような事態が発生すると、該破断個所から下に位置するシャーボルト６の頭部及びハンマーヘッド５はスクリューロッド１から切り離されて落下しようとするが、スクリューロッド１から切り離された直後に落下防止用ボルト１１の頭部１１ａで受け止めることができて、受け止めた荷重をシャーボルト６の破断残存部を介してスクリューロッド１に支持させることができる。この際、落下防止用ボルト１１の頭部１１ａ側の端部に弾性体１２が取り付けてあるため、受け止め時の衝撃荷重を緩衝することができる。したがって、シャーボルト６の破断によりスクリューロッド１から切り離された部分の下方への落下及び落下に伴う事故の発生を未然に防ぐことができる。
【００１６】
上記において、弾性体１２は所謂ショックアブソーバとして機能することから、落下防止用ボルト１１に掛かる力を緩和することができ、このため、落下防止用ボルト１１には小サイズのものを使用することができ、たとえば、高張力ボルト製とすると、より小サイズのものを使用することができる。
【００１７】
次に、図２は本発明の実施の他の形態を示すもので、図１に示したと同様な構成において、落下防止用ボルト１１をシャーボルト６の貫通孔１０のねじ部１０ａに螺合させて支持させるようにすることに代えて、シャーボルト６の軸心部全長をねじ部のない貫通孔１０として、長さを長くした落下防止用ボルト１１を挿通させて先端部を上方へ突出させるようにし、一方、スクリューロッド１のボルト穴９の奥に落下防止用ボルト１１に対応する内径のねじ部としてのボルト穴１７を所要長さ設け、該ボルト穴１７に、上記シャーボルト６の貫通孔１０を通して突出させた落下防止用ボルト１１の先端部を螺合させて支持させるようにしたものである。その他の構成は図１と同じであり、同一部分には同一符号が付してある。
【００１８】
図２に示す実施の形態の場合は、シャーボルト６の小径部６ａが破断したときに落下防止用ボルト１１で受け止めた荷重を、スクリューロッド１に直接支持させることができるので、図１の実施の形態の場合と同様な作用効果が奏し得られる。又、シャーボルト６の軸心部には単に貫通孔１０を設けるだけでよいので、シャーボルト６の加工が容易となる利点もある。
【００１９】
なお、上記実施の形態では、落下防止用ボルト１１の頭部１１ａとシャーボルト６の頭部との間に弾性体１２を取り付けた場合を示したが、弾性体１２を用いないときは、落下防止用ボルト１１の頭部１１ａとシャーボルト６の頭部との間に、シャーボルト６の破断歪以上の隙間を設定するようにすること、又、実施の形態では、プレス用スライドへの適用例について示したが、往復運動や回転運動を行う各種の重量物をシャーボルトを用いてロックする場合についても適用できること、その他本発明の要旨を逸脱しない範囲内において種々変更を加え得ることは勿論である。
【００２０】
【発明の効果】
以上述べた如く、本発明の重量物の下降ロック装置によれば、次の如き優れた効果を発揮する。
（１）回転や昇降させられるスクリューロッドの下端に、シャーボルトにより係止ブロックを取り付け、該係止ブロックで重量物を受けて重量物の下降をロックするようにしてある重量物の下降ロック装置において、上記シャーボルトの軸心部に貫通孔を設けて、該貫通孔の先端部側にねじ部を設け、且つ落下防止用ボルトを上記貫通孔に挿入して先端部を上記ねじ部に螺合させて支持させてなる構成としてあるので、過負荷によりシャーボルトが破断しても、破断してスクリューロッドから切り離された部分を落下防止用ボルトで受け止めることができ、これにより、下方への落下及び落下に伴う事故の発生を未然に防ぐことができ、このため、落下物を受けるための受皿等の設置も不要とすることができる。
（２）落下防止用ボルトをシャーボルトの貫通孔のねじ部に螺合させて支持させることに代えて、シャーボルトの貫通孔に連通する穴をスクリューロッドの軸心部に設けてねじ部を形成し、落下防止用ボルトをシャーボルトの貫通孔からスクリューロッドの穴に挿通して先端部側をスクリューロッドのねじ部に螺合させて支持させるようにした構成とすることにより、シャーボルトの軸心部の加工を容易に行うことができる。
（３）落下防止用ボルトの頭部とシャーボルトの頭部との間に弾性体を取り付けた構成とすることにより、シャーボルトの破断によりスクリューロッドから切り離された部分を落下防止用ボルトで受け止めるときの衝撃荷重を緩衝することができるので、落下防止用ボルトの小型化を図ることができる。
【図面の簡単な説明】
【図１】本発明の重量物の下降ロック装置の実施の一形態を示すもので、スクリューロッドの下端部分の断面図である。
【図２】本発明の実施の他の形態を示す部分断面図である。
【図３】従来のジャッキ式のスライドロック装置の一例を示す概略図である。
【符号の説明】
１　スクリューロッド
５　ハンマーヘッド（係止ブロック）
６　シャーボルト
７　スライド（重量物）
１０　貫通孔
１０ａ　ねじ部
１１　落下防止用ボルト
１１ａ　頭部
１２　弾性体
１７　ボルト穴（ねじ部）
【図１】
2004050264.tif 000003
【図２】
2004050264.tif 000004
【図３】
2004050264.tif 000005